【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なカートリッジにおいて、
潜像を現像するよう構成された現像ローラと、
前記現像ローラを回転可能に支持する現像枠体と、
前記現像枠体を移動可能に支持する支持部材と、
前記現像ローラを回転させるための駆動力を伝達する状態と前記伝達を遮断する状態とを切り替え可能に構成されたクラッチであって、前記駆動力によって回転するように構成された被係止部を有するクラッチと、
前記支持部材に固定された支持部によって回動可能に支持されており、前記クラッチによる前記駆動力の伝達と遮断を制御する制御部材であって、前記被係止部と係合可能な係止部を有し、前記係止部が（ａ）前記被係止部の回転軌跡から退避して前記クラッチに前記駆動力の伝達をさせる非係止位置と、（ｂ）前記被係止部に係合して前記被係止部の回転を止めることによって前記クラッチによる前記駆動力の伝達を遮断させる係止位置と、の間を、前記支持部を中心に回動可能になるように構成された制御部材と、
前記制御部材に作用するために前記現像枠体に設けられた作用部であって、前記現像枠体が前記支持部材に対して移動することに伴って、前記係止部を前記非係止位置と前記係止位置の間で回動させる作用部と、
を有するカートリッジ。
【請求項２】
前記作用部は前記制御部材に接触し得るように前記現像枠体に対して固定されている請求項１に記載のカートリッジ。
【請求項３】
前記支持部材は、感光体を回転可能に支持し、
前記現像枠体が前記支持部材に対して移動することで前記現像ローラと前記感光体の距離が変化する請求項１又は２に記載のカートリッジ。
【請求項４】
前記現像枠体は、（ａ）前記感光体に前記現像ローラを近接させる現像位置と、（ｂ）前記現像ローラを前記感光体から離間させる非現像位置と、を前記支持部材に対して移動可能であり、
前記現像枠体が非現像位置に移動することに伴って前記係止部は前記係止位置へ移動し、
前記現像枠体が前記現像位置に移動することに伴って前記係止部は前記非係止位置へ移動する請求項３に記載のカートリッジ。
【請求項５】
前記クラッチに入力される前記駆動力が、前記現像枠体を前記現像位置に向かって付勢する方向に作用するように構成されている請求項４に記載のカートリッジ。
【請求項６】
前記係止部が前記係止位置にあって前記クラッチに前記駆動力が入力されている際に、前記作用部が前記制御部材から受ける力が、前記現像枠体を前記現像位置に向けて付勢する方向に作用する請求項４又は５に記載のカートリッジ。
【請求項７】
前記枠体が前記現像位置にある際に、前記現像ローラは前記感光体に接触するように構成された請求項４乃至６のいずれか１項に記載のカートリッジ
【請求項８】
前記現像枠体が前記非現像位置に位置する際に前記現像枠体を前記現像位置に向かって付勢し、かつ、前記現像枠体が前記現像位置に位置する際に前記現像枠体を付勢しないように構成された付勢部を有する請求項４乃至７のいずれか１項に記載のカートリッジ。
【請求項９】
前記クラッチから前記現像ローラに向けて前記駆動力を出力するギア部を有する請求項１乃至８のいずれか１項に記載のカートリッジ。
【請求項１０】
前記ギア部はハス歯を有しており、
前記ギア部が前記駆動力を出力する際に前記ギア部が前記クラッチに軸線方向の荷重を付与するように前記ハス歯が傾いている請求項９に記載のカートリッジ。
【請求項１１】
実質的な円筒形状を持ち、前記クラッチから前記駆動力を受ける下流側伝達部材を有し、前記クラッチの少なくとも一部は、前記円筒形状の内側に配置されている請求項１０に記載のカートリッジ。
【請求項１２】
前記下流側伝達部材は、その回転軸線に沿った軸部を有しており、
前記クラッチは、穴部を有しており、前記軸部が前記穴部を貫通することにより、前記下流側伝達部材と前記クラッチとが係合している請求項１１に記載のカートリッジ。
【請求項１３】
前記下流側伝達部材は、前記下流側伝達部材の軸部から放射状に形成された駆動力受け部により、前記クラッチから前記駆動力を受ける請求項１１又は１２に記載のカートリッジ。
【請求項１４】
前記現像枠体は、前記支持部材に対して回動可能である請求項１乃至１３のいずれか１項に記載のカートリッジ。
【請求項１５】
前記クラッチは前記支持部材に対する前記現像枠体の回動軸線上に配置されている請求項１４に記載のカートリッジ。
【請求項１６】
前記作用部は、前記係止部を前記係止位置へ回転させるための力を前記制御部材に加えるための第一作用部と、前記係止部を前記非係止位置へ回転させるための力を前記制御部材に加えるための第二作用部と、を有する請求項１乃至１５のいずれか１項に記載のカートリッジ。
【請求項１７】
前記係止部の回動軸線と垂直な同一断面に前記第一作用部と前記第二作用部が配置される請求項１６に記載のカートリッジ。
【請求項１８】
前記係止部が前記被係止部を係止し、かつ、前記クラッチに駆動力が入力されている際に、前記係止部は前記被係止部から前記非係止位置に移動する方向に向けて力を受ける請求項１乃至１７のいずれか１項に記載のカートリッジ。
【請求項１９】
前記制御部材は、前記係止部を前記非係止位置から前記係止位置へ回転させるための力を前記作用部から受けるための第一被作用部と、前記係止部を前記係止位置から前記非係止位置へ回転するための力を前記作用部から受けるための第二被作用部と、を有し、
前記作用部は、前記第一被作用部と、前記第二被作用部の間に配置されている請求項１乃至１８のいずれか１項に記載のカートリッジ。
【請求項２０】
前記制御部材は、前記作用部に対して接触と離間が可能になるように配置されている請求項１乃至１９のいずれか１項に記載のカートリッジ。
【請求項２１】
前記係止部が前記係止位置に位置する際、前記係止部は前記支持部よりも前記クラッチの回転方向に対して下流側に配置される請求項１乃至２０のいずれか１項に記載のカートリッジ。
【請求項２２】
前記係止部が前記係止位置に向かって移動する際に、前記係止部が前記係止位置を超えて移動することを抑える移動規制部を有する請求項１乃至２１のいずれか１項に記載のカートリッジ。
【請求項２３】
前記クラッチはバネクラッチである請求項１乃至２２のいずれか１項に記載のカートリッジ。
【請求項２４】
前記クラッチは、
前記駆動力を伝達するための第一伝達部材と、
前記第一伝達部材から前記駆動力を受けるための駆動力受け部を備える第二伝達部材と、
を有し、
前記駆動力受け部が、前記第二伝達部材の径方向に進退移動することによって、前記第一伝達部材に対して係合と離脱を行うように構成される請求項１乃至２２のいずれか１項に記載のカートリッジ。
【請求項２５】
前記カートリッジの外部から前記駆動力が入力されるカップリング部を有する請求項１乃至２４のいずれか１項に記載のカートリッジ。
【請求項２６】
前記カップリング部は、前記クラッチと同軸状である請求項２５に記載のカートリッジ。
【請求項２７】
前記クラッチは、
前記カートリッジの外部から前記駆動力を受ける駆動力受け部を備え、軸線を中心に回転し得るカップリング部材を有し、
前記カップリング部材の駆動力受け部は、前記カップリング部材の径方向に進退移動する請求項１乃至２６のいずれか１項に記載のカートリッジ。
【請求項２８】
前記カップリング部材の駆動力受け部が進退移動することによって、前記カップリング部材が前記カートリッジの外部から前記駆動力を受ける状態と受けない状態が切り替わるように構成されている請求項２７に記載のカートリッジ。
【請求項２９】
電子写真画像形成装置本体に着脱可能なカートリッジにおいて、
潜像を現像するように構成された現像ローラと、
前記現像ローラを回転可能に支持する現像枠体と、
前記現像枠体を、（ａ）前記現像ローラによって前記潜像を現像するための現像位置と、（ｂ）前記現像位置から退避した非現像位置と、の間を移動可能に支持する支持部材と、
前記現像ローラに向けて駆動力を伝達する状態と前記伝達を遮断する状態とを切り替え可能に構成されたクラッチであって、前記現像枠体が前記現像位置にある際に前記駆動力を伝達して、前記現像枠体が前記非現像位置に位置する際に前記駆動力の伝達が遮断されるように構成されたクラッチと、
前記現像枠体が前記非現像位置に位置する際に前記現像枠体を前記現像位置に向かって付勢し、前記現像枠体が前記現像位置に位置する際に前記現像枠体を付勢しないように構成された付勢部と、
を有するカートリッジ。
【請求項３０】
前記支持部材は感光体を回転可能に支持し、
前記現像位置にて前記現像ローラは前記感光体に近接し、
前記非現像位置にて前記現像ローラは前記感光体から離間するように構成されている請求項２９に記載のカートリッジ。
【請求項３１】
電子写真画像形成装置本体に着脱可能なカートリッジにおいて、
潜像を現像するよう構成された現像ローラと、
前記現像ローラに向けて駆動力を伝達する状態と前記伝達を遮断する状態とを切り替え可能に構成されたバネクラッチと、
前記駆動力を前記バネクラッチから前記現像ローラに向けて伝達するためのギア部であって、前記駆動力を出力するためのハス歯を有するギア部と、
前記ギア部が駆動を伝達している際に、前記ギア部は前記バネクラッチに軸線方向において荷重を加えるカートリッジ。
【請求項３２】
請求項１乃至３１のいずれか１項に記載のカートリッジと、
前記電子写真画像形成装置本体と、
を有する電子写真画像形成装置。
【手続補正２】
【補正対象書類名】明細書
【補正対象項目名】００１３
【補正方法】変更
【補正の内容】
【００１３】
本願にて開示される代表的な構成は、
電子写真画像形成装置本体に着脱可能なカートリッジにおいて、
潜像を現像するよう構成された現像ローラと、
前記現像ローラを回転可能に支持する現像枠体と、
前記現像枠体を移動可能に支持する支持部材と、
前記現像ローラを回転させるための駆動力を伝達する状態と前記伝達を遮断する状態とを切り替え可能に構成されたクラッチであって、前記駆動力によって回転するように構成された被係止部を有するクラッチと、
前記支持部材に固定された支持部によって回動可能に支持されており、前記クラッチによる前記駆動力の伝達と遮断を制御する制御部材であって、前記被係止部と係合可能な係止部を有し、前記係止部が（ａ）前記被係止部の回転軌跡から退避して前記クラッチに前記駆動力の伝達をさせる非係止位置と、（ｂ）前記被係止部に係合して前記被係止部の回転を止めることによって前記クラッチによる前記駆動力の伝達を遮断させる係止位置と、の間を、前記支持部を中心に回動可能になるように構成された制御部材と、
前記制御部材に作用するために前記現像枠体に設けられた作用部であって、前記現像枠体が前記支持部材に対して移動することに伴って、前記係止部を前記非係止位置と前記係止位置の間で回動させる作用部と、
を有するカートリッジである。